(57)【特許請求の範囲】
【請求項１】
略円筒状の濾過材容器に濾過材を充填し、この濾過材に水の分子の活性化を図るマグネットを収納する磁石ホルダセットを介在させ、給水口から濾過材容器に原水を給水し、この原水を濾過材容器内で浄化するとともに活性化を図ることで浄水を生成し、この浄水を吐水口から吐水させる浄水器において、
前記磁石ホルダセットは、多数の通水孔を開けた基板の両面に複数個の上・下収納部を形成することで二層構造とした略円筒状の磁石ホルダと、前記上収納部に収納することで極性を一方にそろえて配置する上部マグネット群と、前記下収納部に収納することで前記上部マグネット群に対して逆方向の磁界を形成する下部マグネット群と、からなることを特徴とする浄水器。
【請求項２】
前記磁石ホルダの基板に貫通部を設け、この貫通部に貫通させるセンタパイプを設け、このセンタパイプの一方を前記濾過材容器の天井まで延ばすとともに他方を前記吐水口側に接続したことを特徴とする請求項１記載の浄水器。
【請求項３】
前記磁石ホルダの外周と前記濾過材容器の内周との間に第１のＯリングを介在させてシーリングするとともに、前記貫通部と前記センタパイプとの間に第２のＯリングを介在させてシーリングしたことを特徴とする請求項１又は請求項２記載の浄水器。
【請求項４】
前記上・下収納部は、全て同一サイズに形成し、上部・下部マグネット群のマグネットを同一サイズに形成することを特徴とする請求項１、請求項２又は請求項３記載の浄水器。
【発明の詳細な説明】
【０００１】
【発明の属する技術分野】
本発明は、濾過材及びマグネットを使用して水の浄化及び水の活性化をする浄水器に関する。
【０００２】
【従来の技術】
水を浄化するとともに水の活性化をする浄水器として、例えば、特許第３２２４９９８号公報「浄水器用磁石ホルダセット及び浄水器」が知られる。
同公報の図２を、図８に掲載し上記技術を説明する。ただし、同公報に記載の符号を新しく振り直すとともに記載の名称も一部変更した。
【０００３】
図８は従来の浄水器用磁石ホルダセットの分解斜視図であり、磁石ホルダセット１００は、水の活性化を図るための第１〜第３マグネット群１０１〜１０３と、これらの第１〜第３マグネット群１０１〜１０３を一括収納する磁石ホルダ１０４とからなる。
【０００４】
第１マグネット群１０１は、８個の略長方形の小マグネット１０５から構成し、これらのマグネット１０５のＮ極を内側に向けるとともにマグネット１０５のＳ極を外側に向け、略環状に配列する。
第２マグネット群１０２は、８個の略長方形の中マグネット１０６から構成し、これらのマグネット１０６のＮ極を内側に向けるとともにマグネット１０６のＳ極を外側に向け、略環状に配列する。
第３マグネット群１０３は、８個の略長方形の大マグネット１０７から構成し、これらのマグネット１０７のＮ極を内側に向けるとともにマグネット１０７のＳ極を外側に向け、略環状に配列する。
【０００５】
磁気ホルダ１０４は、通水するために多数の通水孔１１１を設けた円形状の底板１１２と、この底板１１２の中心に形成した通水凹部１１３と、この通水凹部１１３の外側に第１マグネット群１０１を収納するために形成した第１環状溝１１５と、この第１収納溝の外側に通水するために形成した内通水凹部１１８と、この内通水凹部１１８の外側に第２マグネット群１０２を収納するために形成した第２環状溝１１６と、この第２環状溝１１６の外側に通水するために形成した外通水凹部１１９と、この外通水凹部１１９の外側に第３マグネット群１０３を収納するために形成した第３環状溝１１７と、からなる。
すなわち、磁石ホルダセット１００は、水の流れに対して直交する方向且つ放射状に磁力を発生させ、水の磁気化を行うようにしたセットであると言える。
【０００６】
【発明が解決しようとする課題】
上記の浄水器では、水の流れに対して直交する方向且つ放射状に磁力を発生させ、水の磁気化を行うものであるが、さらなる磁気化を促進できる技術を採用した浄水器を模索をしたいものである。
また、上記の浄水器に用いる磁石ホルダセット１００では、水の流れに対して直交する方向且つ放射状に磁力を発生させるために、大きさの異なる小マグネット１０５、中マグネット１０６又は大マグネット１０７の３種類のマグネットを所定の環状溝１１５〜１１７にセットしなくてはならず、磁石ホルダセット１１００の組立ての作業性の悪化を招くこともある。
【０００７】
そこで、本発明の目的は、水の磁気化の促進を図ることができ、水の磁気化のための磁石ホルダセットの組立て作業を容易にすることができる技術を提供することにある。
【０００８】
【課題を解決するための手段】
上記目的を達成するために請求項１は、略円筒状の濾過材容器に濾過材を充填し、この濾過材に水の分子の活性化を図るマグネットを収納する磁石ホルダセットを介在させ、給水口から濾過材容器に原水を給水し、この原水を濾過材容器内で浄化するとともに活性化を図ることで浄水を生成し、この浄水を吐水口から吐水させる浄水器において、磁石ホルダセットを、多数の通水孔を開けた基板の両面に複数個の上・下収納部を形成することで二層構造とした略円筒状の磁石ホルダと、上収納部に収納することで極性を一方にそろえて配置する上部マグネット群と、下収納部に収納することで上部マグネット群に対して逆方向の磁界を形成する下部マグネット群と、から構成したことを特徴とする。
【０００９】
一般的に、大きなクラスター（水の分子集団）を含む非処理水を所定以上の流速で磁場に直交させて移動させると、非処理水中のプラスイオン及びマイナスイオンを含むクラスターは物理的な力を受け、水素結合が破壊される現象が生じ、これによって、クラスターは細分化され、分子の活発な活性化された水を得ることができると考えられている。
【００１０】
そこで、磁石ホルダに複数個の上・下収納部を形成し、上収納部に極性を一方にそろえて上部マグネット群を配置し、下収納部に上部マグネット群に対して逆方向の磁界を形成する下部マグネット群を配置し、上部マグネット群の一方向の磁界で水の磁気化処理を行い、下部マグネット群の逆方向の磁界でもう一度水の磁気化処理をすぐ行うようにすることで、磁気化効率の向上を図る。
この結果、水の活性化の促進を図ることができる。
【００１１】
請求項２は、磁石ホルダの基板に貫通部を設け、この貫通部に貫通させるセンタパイプを設け、このセンタパイプの一方を濾過材容器の天井まで延ばすとともに他方を吐水口側に接続したことを特徴とする。
【００１２】
磁石ホルダの基板に貫通部を設け、この貫通部に貫通させるセンタパイプを設け、このセンタパイプの一方を濾過材容器の天井まで延ばすとともに他方を吐水口側に接続することで、濾過材容器の下方から通水させ、通水させた水を濾過材容器の天井に導き、天井に導いた水をセンタパイプで下方に導き、下方に導いた水を吐水口から吐水させることができる。
これにより、濾過材容器の下方から通水した水は磁石ホルダセットを通過する際に基板の通水孔を通すことで十分に整流された状態で第１段階の磁気化を行い、センタパイプを下降する際に磁石ホルダセットで形成する磁界を比較的早い流速で通過させることで第２段階の磁気化を行うことができる。
この結果、水の十分な磁気化を図ることができる。
【００１３】
請求項３は、磁石ホルダの外周と濾過材容器の内周との間に第１のＯリングを介在させてシーリングするとともに、貫通部とセンタパイプとの間に第２のＯリングを介在させてシーリングしたことを特徴とする。
【００１４】
磁石ホルダの外周と濾過材容器の内周との間に第１のＯリングを介在させてシーリングすることで、磁石ホルダと濾過材容器との間の水の流通を防止し、貫通部とセンタパイプとの間に第２のＯリングを介在させてシーリングすることで、貫通部とセンタパイプとの間の水の流通を防止する。
この結果、水を所定の経路を通過させることができ、水の磁気化又は浄化の効率の向上を図ることができる。
【００１５】
請求項４は、上・下収納部を、全て同一サイズに形成し、上部・下部マグネット群のマグネットを同一サイズに形成することを特徴とする。
上・下収納部を、全て同一サイズに形成し、上部・下部マグネット群のマグネットを同一サイズに形成することで、部品の共通化を図る。
この結果、磁石ホルダセットの組立ての作業性の向上を図ることができるとともに、浄水器のコストの低減を図ることができる。
【００１６】
【発明の実施の形態】
本発明の実施の形態を添付図に基づいて以下に説明する。なお、図面は符号の向きに見るものとする。
図１は本発明に係る浄水器の接続状態を示す斜視図であり、浄水器１０は、水栓１１に切換えコック１２を取付け、この切換えコック１２に給水ホース１３を介して給水口１４を接続し、切換えコック１２に吐水ホース１５を介して吐水口１６を接続するものであって、切換えコック１２から給水ホース１３を経由させて水道水などの原水を浄水器１０に注入し、この浄水器１０で浄化した浄水を吐水ホース１５を経由させて切換えコック１２に戻し、この切換えコック１２から浄水を吐水させる。
【００１７】
切換えコック１２は、水道水など原水を浄水器１０に注入するモードと、原水を直接的に吐水させるモードとの切換えの役目をなす。
本発明に係る浄水器１０は、後述するように、水を磁気化することで水の活性化を図ることのできる浄水器であって、磁気化効率を高めるために浄水器１０の主要部品である磁石ホルダセット５０に新規な構造を採用したものである。
【００１８】
図２は図１の２−２線断面図であり、浄水器１０の正面断面を示す。
浄水器１０は、基部となる容器取付け台２１と、この容器取付け台２１に取付ける濾過材容器２２と、この濾過材容器２２を容器取付け台２１に止める容器止めリング２３と、濾過材容器２２の上部にセットする通水板２４と、濾過材容器２２の途中にセットする磁石ホルダセット５０と、この磁石ホルダセット５０を貫通させるとともに一端を通水板２４に支持させ且つ他端を容器取付け台２１に支持させたセンタパイプ２６と、これらのセンタパイプ２６及び磁石ホルダセット５０を除き、容器取付け台２１と通水板２４との間の濾過材容器２２に充填した濾過材２７と、からなる。
【００１９】
容器取付け台２１は、原水を給水するために給水口１４から延ばした給水管３１と、浄水を吐水させる吐水口１６から延ばした吐水管３２と、容器止めリング２３をねじ込む雄ねじ部３３と濾過材容器２２を当接させる当接面３４と、組立て状態の浄水器１０を設置するための脚部３５とからなる。
濾過材容器２２は、原水を濾過するための本体部３７と、この本体部３７の開口３８に設けることで容器取付け台２１の当接面３４に当接させるフランジ部３９とからなり、ステンレス若しくは樹脂材料で形成することが好ましい。なお、４１は濾過材容器２２の天井、４２は濾過材容器２２の内周を示す。
【００２０】
容器止めリング２３は、容器取付け台２１の雄ねじ部３３にねじ込む雌ねじ部４３を備え、通水板２４は、円板状の部材であり、多数の通水孔４４…（…は複数個を示す。以下同じ）を備える。
センタパイプ２６は、磁石ホルダセットの磁力線を通過させることのできる銅パイプなどの非鉄金属を用いた。また、濾過材２７は、活性炭を主原料とする材料である。
【００２１】
浄水器１０は、略円筒状の濾過材容器２２に濾過材２７を充填し、この濾過材２７に水の分子の活性化を図るマグネット５２…，５４…を収納する磁石ホルダセット５０を介在させ、給水口１４から濾過材容器２２に原水を給水し、この原水を濾過材容器２２内で浄化するとともに活性化を図ることで浄水を生成し、この浄水を吐水口１６から吐水させるものと言える。
【００２２】
図３は本発明に係る浄水器の磁石ホルダセットの分解斜視図であり、磁石ホルダセット５０は、樹脂性の磁石ホルダ５１と、この磁石ホルダ５１の上部にセットする複数のマグネット５２…の集合である上部マグネット群５３と、磁石ホルダ５１の下部にセットする複数のマグネット５４…の集合である下部マグネット５５群と、磁石ホルダ５１と濾過材容器２２との間に介在させる第１のＯリング５６と、磁石ホルダ５１とセンタパイプ２６の間に介在させる第２のＯリング５７，５７（一方の５７は不図示）と、からなる。
【００２３】
磁石ホルダ５１は、多数の通水孔としての整流孔６１…を開けることで原水の流れを整流する基板としての整流板６２と、この整流板６２の上面に形成することでマグネット５２…を各々収納する上収納部６３…と、これらの上収納部６３…の直下に、且つ整流板６２の下面に形成することでマグネット５４…を各々収納する下収納部６４…と、整流板６２に形成した外周としての筒部６５と、整流板６２の中心に形成することでセンタパイプ２６を貫通させる貫通部６６と、からなる。
【００２４】
整流孔６１…は、隣り合う上収納部６３，６３同士（若しくは隣り合う下収納部６４，６４同士）の間に形成することで、原水を上部・下部マグネット群５３，５５の磁界の最も強く発生させた空間を通過させることができる。
また、下収納部６４は、マグネット５４を支持するための支持爪６７を備え、筒部６５は、第１のＯリングを保持する溝６８を備え、貫通部６６は、上下端に第２のＯリング５７，５７（一方の５７は不図示）を載置する段部６９，６９（一方の６９は不図示）を備える。
【００２５】
上部マグネット群５３は、マグネット５２…の極性を一方にそろえて上収納部６３…に収納するマグネット群であり、下部マグネット群５５は、マグネット５２…に対してマグネット５４…の極性を逆にして下収納部６４に収納するマグネット群であって、上部マグネット群５３に対して逆方向の磁界を形成するものある。なお、マグネット５２，５４は、同一部品である。
【００２６】
すなわち、磁石ホルダセット５０は、多数の整流孔（通水孔）６１…を開けた整流板（基板）６２の両面に複数個の上・下収納部６３…，６４…を形成することで二層構造とした略円筒状の磁石ホルダ５１と、上収納部６３…に収納することで極性を一方にそろえて配置する上部マグネット群５３と、下収納部６４…に収納することで上部マグネット群５３に対して逆方向の磁界を形成する下部マグネット群５５と、から構成したものであると言える。
【００２７】
ところで、水道水や地下水などの水には、何種類かのイオン、例えば、カルシウムイオン、ナトリウムイオン、水素イオン、硫酸イオン、炭酸イオン、塩素イオン、水酸化イオンなどが存在している。しかし、これらのイオンは単独で存在することは稀で、通常、水素結合によって互いに結合する水分子に周囲を取囲まれ、大きなクラスター（水の分子集団）として存在する。
【００２８】
このようなクラスターを含む非処理水を所定以上の流速で磁場に直交させて移動させると、非処理水中のプラスイオン及びマイナスイオンを含むクラスターは物理的な力を受け、水素結合が破壊される現象が生じ、これによって、クラスターは細分化される。
すなわち、磁気処理後の水はイオン化されることになる。一般的に、「おいしい」と言われる天然水は水の分子のクラスターが細かい、分子の活発な活性化された水であり、「まずい」と言われる水道水は水の分子のクラスターが大きい水であると考えられている。
【００２９】
そこで、磁石ホルダ５１に複数個の上・下収納部６３…，６４…を形成し、上収納部６３…に極性を一方にそろえて上部マグネット群５３を配置し、下収納部６４…に上部マグネット群５３に対して逆方向の磁界を形成する下部マグネット群５５を配置し、上部マグネット群５３の一方向の磁界で水の磁気化処理を行い、下部マグネット群５５の逆方向の磁界でもう一度水の磁気化処理をすぐ行うようにすることで、磁気化効率の向上を図る。この結果、水の活性化の促進を図ることができる。
【００３０】
また、磁石ホルダ５１に複数個の上・下収納部６３…，６４…を形成し、上収納部６３…に極性を一方にそろえて上部マグネット群５３を配置し、下収納部６４…に上部マグネット群５３に対して逆方向の磁界を形成する下部マグネット群５５を配置することで、例えば、別々のホルダにマグネットを収納し、これらのホルダを容器に配置する場合に比べ、上部マグネット群５３と下部マグネット群５５との位置合わせの精度の向上を図ることができる。
すなわち、磁石ホルダ５１に、多数の整流孔６１…を開けた整流板６２の両面に複数個の上・下収納部６３…，６４…を一体的に形成して、マグネット５２…，５４…を二層構造とすることで、方向の異なる磁界を精度よく容易に得ることができる。
【００３１】
図４は本発明に係る浄水器の磁石ホルダセットの平面図であり、磁気ホルダ５１は、整流孔６１…を、隣り合う上収納部６３，６３同士（若しくは隣り合う下収納部６４，６４（図３参照）同士）の間に形成することで、原水を上部・下部マグネット群５３，５５（下の５５は不図示）の磁界の最も強く発生させた空間を通過させるようにしたことを示す。
すなわち、浄水器１０は、原水を上部・下部マグネット群５３，５５の磁界の最も強く発生させた空間を通過させるようにしたので、水の磁気化効率の向上を図ることができる。この結果、活性化された「おいしい水」を吐水させることができる。
【００３２】
図５は本発明に係る浄水器の磁石ホルダセットの正面断面図であり、浄水器１０（図１参照）は、磁石ホルダ５１の筒部（外周）６５と濾過材容器２２の内周４２との間に第１のＯリング５６を介在させてシーリングするとともに、貫通部６６とセンタパイプ２６との間に第２のＯリング５７，５７を介在させてシーリングしたものであるとも言える。
【００３３】
すなわち、磁石ホルダ５１の筒部６５と濾過材容器２２の内周４２との間に第１のＯリング５６を介在させてシーリングすることで、磁石ホルダ５１と濾過材容器２２との間の水の流通を防止し、貫通部６６とセンタパイプ２６との間に第２のＯリング５７，５７を介在させてシーリングすることで、貫通部６６とセンタパイプ２６との間の水の流通を防止する。
この結果、浄水器１０は（図１参照）は、水を所定の経路を通過させることができ、水の磁気化又は浄化の効率の向上を図ることができる。
【００３４】
以上に述べた浄水器１０及び磁石ホルダセット５０の作用を説明する。
図６（ａ），（ｂ）は本発明に係る浄水器の磁石ホルダセットの作用説明図であり、（ａ）は比較例の磁石ホルダセット１２０を示し、（ｂ）は実施例の磁石ホルダセット５０を示す。
（ａ）において、磁石ホルダセット１２０は、磁石ホルダ１２４に小マグネット１２１…、中マグネット１２２…及び大マグネット１２３…の３種類を用い、実線の矢印で示すように、磁界の方向を磁石ホルダ１２４の中心に向かうように、マグネット１２１〜１２３の配列を行ったものである。
すなわち、複数のサイズのマグネット１２１〜１２３を用いることが必要である。従って、磁石ホルダセット１２０の組立ての作業性の悪化を招き、浄水器の部品点数が増加し、コストの高騰を招く虞れもある。
【００３５】
（ｂ）において、磁石ホルダセット５０は、マグネット５２…の極性を一方にそろえて上収納部６３…に収納し、マグネット５２…に対してマグネット５４…の極性を逆にして下収納部６４（図３参照）に収納したものであって、一種類のマグネット５２，５４（同一部品）を使用するようにしたものである。なお、実線で示す矢印は上部マグネット群５３の磁界の方向、破線で示す矢印は下部マグネット群５５（図３参照）の磁界の方向を示す。
【００３６】
すなわち、磁石ホルダセット５０は、上・下収納部６３，６４（下の６４は不図示）を、全て同一サイズに形成し、上部・下部マグネット群５３，５５（下の５５は不図示）のマグネット５２…，５４…を同一サイズに形成したものであると言える。
上・下収納部６３，６４を、全て同一サイズに形成し、上部・下部マグネット群５３，５５のマグネット５２…，５４…を同一サイズに形成することで、部品の共通化を図ることができる。
この結果、磁石ホルダセット５０の組立ての作業性の向上を図ることができるとともに、浄水器１０（図１参照）のコストの低減を図ることができる。
【００３７】
図７は本発明に係る浄水器の原水及び浄水の流れを示す作用説明図であり、給水口１４から入水させた原水を、濾過材容器２２の下方から上方に向かって濾過材２７中を流すことで浄化を進め、磁石ホルダセット５０を通過させることで水の磁気化を進め、さらに濾過材２７中を上部の通水板２４まで流すことでさらなる浄化を進め、この通水板２４の上方から浄水をセンタパイプ２６に流し込むことで再度、磁石ホルダセット５０の磁界中を通過させ、浄水を吐水口１６から吐水させる。
【００３８】
浄水器１０は、磁石ホルダ５１の整流板６２（図５参照）に貫通部６６を設け、この貫通部６６に貫通させるセンタパイプ２６を設け、このセンタパイプ２６の一方を濾過材容器２２の天井４１まで延ばすとともに他方を吐水口１６側に接続したものである。
【００３９】
すなわち、浄水器１０は、整流板６２（図５参照）に貫通部６６を設け、この貫通部６６に貫通させるセンタパイプ２６を設け、このセンタパイプ２６の一方を濾過材容器２２の天井４１まで延ばすとともに他方を吐水口１６側に接続することで、濾過材容器２２の下方から通水させ、通水させた水を濾過材容器２２の天井４１に導き、天井４１に導いた水をセンタパイプ２６で下方に導き、下方に導いた水を吐水口１６から吐水させることができる。
【００４０】
これにより、濾過材容器２２の下方から通水した水は磁石ホルダセット５０を通過する際に整流板６２（図５参照）の整流孔６１…を通すことで十分に整流された状態で第１段階の磁気化を行い、センタパイプ２６を下降する際に磁石ホルダセット５０で形成する磁界を比較的早い流速で通過させることで第２段階の磁気化を行うことができる。
この結果、水の十分な磁気化を図ることができる。
【００４１】
尚、実施の形態では図２に示すように、濾過材容器２２中に一個の磁石ホルダセット５０を配置したが、これに限るものではなく、磁石ホルダセット５０を複数個配置するものであってもよい。
また、実施の形態では図２に示すように、センタパイプ２６に非鉄金属を用いたが、これに限るものではなく、樹脂パイプのように、磁気を通過させることのできる素材であればよい。
【００４２】
【発明の効果】
本発明は上記構成により次の効果を発揮する。
請求項１では、磁石ホルダセットを、多数の通水孔を開けた基板の両面に複数個の上・下収納部を形成することで二層構造とした略円筒状の磁石ホルダと、上収納部に収納することで極性を一方にそろえて配置する上部マグネット群と、下収納部に収納することで上部マグネット群に対して逆方向の磁界を形成する下部マグネット群と、から構成したので、上部マグネット群の一方向の磁界で水の磁気化処理を行い、下部マグネット群の逆方向の磁界でもう一度水の磁気化処理をすぐ行うことができる。この結果、磁気化効率の向上を図ることができ、水の活性化の促進を図ることができる。
【００４３】
請求項２は、磁石ホルダの基板に貫通部を設け、この貫通部に貫通させるセンタパイプを設け、このセンタパイプの一方を濾過材容器の天井まで延ばすとともに他方を吐水口側に接続したので、濾過材容器の下方から通水した水は磁石ホルダセットを通過する際に基板の通水孔を通すことで十分に整流された状態で第１段階の磁気化を行い、センタパイプを下降する際に磁石ホルダセットで形成する磁界を比較的早い流速で通過させることで第２段階の磁気化を行うことができる。
この結果、水の十分な磁気化を図ることができる。
【００４４】
請求項３は、磁石ホルダの外周と濾過材容器の内周との間に第１のＯリングを介在させてシーリングしたので、磁石ホルダと濾過材容器との間の水の流通を防止することができ、貫通部とセンタパイプとの間に第２のＯリングを介在させてシーリングしたので、貫通部とセンタパイプとの間の水の流通を防止することができる。
この結果、水を所定の経路を通過させることができ、水の磁気化又は浄化の効率の向上を図ることができる。
【００４５】
請求項４は、上・下収納部を、全て同一サイズに形成し、上部・下部マグネット群のマグネットを同一サイズに形成したので、部品の共通化を図ことができる。
この結果、磁石ホルダセットの組立ての作業性の向上を図ることができるとともに、浄水器のコストの低減を図ることができる。
【図面の簡単な説明】
【図１】本発明に係る浄水器の接続状態を示す斜視図
【図２】図１の２−２線断面図
【図３】本発明に係る浄水器の磁石ホルダセットの分解斜視図
【図４】本発明に係る浄水器の磁石ホルダセットの平面図
【図５】本発明に係る浄水器の磁石ホルダセットの正面断面図
【図６】本発明に係る浄水器の磁石ホルダセットの作用説明図
【図７】本発明に係る浄水器の原水及び浄水の流れを示す作用説明図
【図８】従来の浄水器用磁石ホルダセットの分解斜視図
【符号の説明】
１０…浄水器、１４…給水口、１６…吐水口、２２…濾過材容器、２６…センタパイプ、２７…濾過材、４１…天井、４２…内周、５０…磁石ホルダセット、５１…磁石ホルダ、５２，５４…マグネット、５３，５５…上部・下部マグネット群、５６，５７…第１・第２のＯリング、６１…通水孔（整流孔）、６２…基板（整流板）、６３，６４…上・下収納部、６５…外周（筒部）、６６…貫通部。
【図１】
0003653067.tif 000002
【図２】
0003653067.tif 000003
【図３】
0003653067.tif 000004
【図４】
0003653067.tif 000005
【図５】
0003653067.tif 000006
【図６】
0003653067.tif 000007
【図７】
0003653067.tif 000008
【図８】
0003653067.tif 000009